(57)【要約】【課題】本発明は、操作リングを操作しつつ防振ＯＮ／ＯＦＦスイッチを操作可能で、且つ操作リングの操作に邪魔にならず操作し易い位置に防振ＯＮ／ＯＦＦスイッチが取り付けられた防振レンズ装置を提供することを目的とする。【解決手段】防振機能のＯＮ／ＯＦＦスイッチ８８を有する防振用コントローラ８６は、エクステンダレンズが位置する固定鏡胴２２の外周部に配置される。ＯＮ／ＯＦＦスイッチ８８をカメラマン１００が操作する場合、左手の小指と薬指とでフォーカスリング９２を手動操作し、中指でズームリング９４を手動操作し、人指し指でアイリスリング９６を手動操作する。そして、各操作リング９２、９４、９６から指を放すことなく、固定筒２２の外周部に取り付けられた防振用コントローラ８６のＯＮ／ＯＦＦスイッチ８８を、フリーの親指で操作する。【選択図】  図５
2005091608.tif 000002
【特許請求の範囲】
【請求項１】
像ぶれを補正する補正レンズを備えるとともに固定鏡胴に手動操作リングが回動自在に設けられた防振レンズ装置において、
前記防振レンズ装置に設けられたエクステンダレンズ部又はマスターレンズ部が位置する固定鏡胴の外周部に防振機能のＯＮ／ＯＦＦスイッチが取り付けられたことを特徴とする防振レンズ装置。
【請求項２】
前記ＯＮ／ＯＦＦスイッチは、前記防振レンズ装置に着脱自在な遠隔操作装置に取り付けられていることを特徴とする請求項１に記載の防振レンズ装置。
【請求項３】
前記遠隔操作装置には、ＯＮ／ＯＦＦ表示灯、防振特性切替スイッチ、及び補正方向切替スイッチが取り付けられていることを特徴とする請求項２に記載の防振レンズ装置。
【請求項４】
前記遠隔操作装置は、前記固定鏡胴の外周部の傾斜した平坦部に取り付けられていることを特徴とする請求項２又は３に記載の防振レンズ装置。
【請求項５】
前記遠隔操作装置が取り付けられる前記固定鏡胴の外周部は、他の鏡胴外周部よりも小径に形成されていることを特徴とする請求項２、３又は４のうちいずれか一つに記載の防振レンズ装置。
【請求項６】
前記遠隔操作装置は、雲台の操作棒に着脱自在に取り付けられる同一の連結部材を介して前記固定鏡胴の外周部に取り付けられることを特徴とする請求項２、３、４又は５のうちいずれか一つに記載の防振レンズ装置。
【請求項７】
前記遠隔操作装置に取り付けられた前記ＯＮ／ＯＦＦスイッチは、防振レンズ装置の撮影光軸と略平行な面に上向きに取り付けられ、前記ＯＮ／ＯＦＦ表示灯は、前記撮影光軸と略垂直な面にカメラ側に向けて取り付けられていることを特徴とする２、３、４、５又は６のうちいずれか一つに記載の防振レンズ装置。
【発明の詳細な説明】
【技術分野】
【０００１】
本発明は防振レンズ装置に係り、特にカメラに加わった振動によって生じる像ぶれを補正する補正レンズを備えた防振レンズ装置に関する。
【背景技術】
【０００２】
光学性能の高倍率、高性能化に伴い最近のテレビカメラに使用されるレンズ装置には、テレビカメラに加わった振動によって生じる像ぶれを補正する補正レンズを備えたものがある。補正レンズを備えたレンズ装置（以下、「防振レンズ装置」と称する）には、上下・左右方向の振動を検出する振動検出センサ、及びリニアモータを有する補正レンズ駆動部等が設けられ、振動検出センサで検出された振動情報に基づいて、補正レンズを補正レンズ駆動部によって像ぶれを補正する位置に移動する。
【０００３】
特許文献１の図８には、肩に担いで使用するテレビカメラが開示され、そのテレビカメラに使用される防振レンズ装置には、図７の如く電気駆動ユニットが外付けされている。電気駆動ユニットには、肩に担いだカメラマンによって操作される複数のスイッチ、レバーが設けられ、これらのスイッチやレバーを操作することによって、焦点距離や絞り等を適宜変更することができ、また、ＯＮ／ＯＦＦスイッチを操作することによって、防振機能をＯＮ／ＯＦＦすることができる。
【０００４】
また、特許文献２には、テレビカメラを三脚の雲台に固定し、カメラマンの片手でテレビカメラの向きを調整しながら、もう一方の片手でレンズ装置のマニュアルフォーカスリングを操作するカメラ操作の一例が開示されている。
【特許文献１】特開２００２−３１８４００号公報
【特許文献２】特開平１１−１２２５２７号公報
【発明の開示】
【発明が解決しようとする課題】
【０００５】
引用文献１の如く、電気駆動ユニットが外付けされた防振レンズ装置を有するテレビカメラを、引用文献２の如く雲台に固定して操作する場合、電気駆動ユニットに設けられたＯＮ／ＯＦＦスイッチが、マニュアルフォーカスリングやマニュアルズームリング等の操作リングから離れた位置にあるため、ＯＮ／ＯＦＦスイッチを操作する際に、前記操作リングから手を放さなければ操作できないという欠点があった。このように操作リングから手を放すことで、焦点及び焦点距離の調整タイミングにずれが生じ、撮影に悪影響を与える場合があった。
【０００６】
また、引用文献１には、電気駆動ユニットにコネクタを介して防振スイッチユニットを接続し、この防振スイッチユニットをカメラマンの好みに応じた位置に取り付ける内容が開示されている。しかしながら、防振スイッチユニットの取付位置によっては、防振レンズ装置が無用に大型化し、操作リングの操作及び雲台に固定されたテレビカメラのパン／チルト操作に支障をきたすという問題があった。
【０００７】
本発明はこのような事情に鑑みてなされたもので、操作リングを操作しつつ防振機能のＯＮ／ＯＦＦスイッチを操作可能で、且つ操作リングの操作に邪魔にならず操作し易い位置にＯＮ／ＯＦＦスイッチが取り付けられた防振レンズ装置を提供することを目的とする。
【課題を解決するための手段】
【０００８】
本発明は、前記目的を達成するために、像ぶれを補正する補正レンズを備えるとともに固定鏡胴に手動操作リングが回動自在に設けられた防振レンズ装置において、前記防振レンズ装置に設けられたエクステンダレンズ部又はマスターレンズ部が位置する固定鏡胴の外周部に防振機能のＯＮ／ＯＦＦスイッチが取り付けられたことを特徴とする。
【０００９】
本発明によれば、エクステンダレンズ部又はマスターレンズ部が位置する固定鏡胴の外周部に防振機能のＯＮ／ＯＦＦスイッチを配置した。この防振レンズ装置をカメラマンが操作する場合、例えば小指と薬指でフォーカスリングを手動操作し、中指でズームリングを手動操作し、人指し指でアイリスリングを手動操作する。そして、各操作リングから指を放すことなく、アイリスリングの近傍で前記外周部に取り付けられた防振機能のＯＮ／ＯＦＦスイッチを、フリーな状態の親指で操作する。これによって、操作リングを操作しつつＯＮ／ＯＦＦスイッチの操作が可能となる。
【００１０】
また、本発明によれば、防振レンズ装置に着脱自在な遠隔操作装置に前記ＯＮ／ＯＦＦスイッチを取り付け、この遠隔操作装置にＯＮ／ＯＦＦ表示灯、防振特性切替スイッチ、及び補正方向切替スイッチ等、防振に関係するスイッチ群を取り付けることで防振機能全般を遠隔操作可能とした。また、この遠隔操作装置を、雲台の操作棒に取り付けることによって、操作棒を操作する手で防振機能を遠隔操作することもできる。
【００１１】
また、本発明によれば、固定鏡胴の外周部の傾斜した平坦部に前記遠隔操作装置が取り付けられている。この傾斜した平坦面に対向する位置にカメラマンが位置し、防振レンズ装置を操作すれば、カメラマンの親指を無理に曲げることなく自然な姿勢で遠隔操作装置に触れることができるので、各スイッチの操作性が向上する。
【００１２】
また、本発明は、エクステンダレンズ部又はマスターレンズ部が位置する固定鏡胴の外周部は、レンズの大きさの関係により、フォーカスレンズ及びズームレンズが位置する固定鏡胴の他の外周部よりも小径に形成されている点に着目した。この小径部（段差部）にＯＮ／ＯＦＦスイッチを配置することで、段差部が解消された状態となるので、ＯＮ／ＯＦＦスイッチに親指が問題なく届くようになり、各操作リングの操作及びＯＮ／ＯＦＦスイッチの操作を何の支障もなく同時に行うことができる。
【００１３】
また、本発明によれば、雲台の操作棒に着脱自在に取り付けられる同一の連結部材を介して、前記遠隔操作装置を前記固定鏡胴の外周部に取り付けたので、操作棒から取り外したそのままの状態で遠隔操作装置を防振レンズ装置側に取り付けることができ、また、防振レンズ装置側から取り外したそのままの状態で遠隔操作装置を操作棒に取り付けることができる。よって、遠隔操作装置の取付位置変更時における、取付作業を簡略化することができる。
【００１４】
また、本発明によれば、防振レンズ装置の撮影光軸と略平行な面に上向きに前記ＯＮ／ＯＦＦスイッチを取り付けたので、ＯＮ／ＯＦＦスイッチの操作性がより向上し、また、前記撮影光軸と略垂直な面にカメラ側に向けて前記ＯＮ／ＯＦＦ表示灯を取り付けたので、テレビカメラを操作するカメラマンはファインダを見ながら防振機能のＯＮ／ＯＦＦ状態を容易に確認できる。
【発明の効果】
【００１５】
本発明に係る防振レンズ装置によれば、マスターレンズ部又はエクステンダレンズ部が位置する固定鏡胴の外周部に防振機能のＯＮ／ＯＦＦスイッチを配置したので、防振レンズ装置の操作リングを操作しつつＯＮ／ＯＦＦスイッチの操作が可能となり、各操作リングの操作及びＯＮ／ＯＦＦスイッチの操作を何の支障もなくスムーズに行うことができる。
【発明を実施するための最良の形態】
【００１６】
以下、添付図面に従って本発明に係る防振レンズ装置の好ましい実施の形態を詳説する。
【００１７】
図１は、実施の形態の防振レンズ装置１０がカメラ１２のマウント１４に取り付けられ、カメラ１２とともにレンズ支持部材１６によって支持された状態が示されている。同図に示すカメラ１２は、肩乗せ可能なＥＮＧカメラであり、また、防振レンズ装置１０は、例えばズーム比が４２倍、重量が約５．５ｋｇの高倍率で重量物のレンズ装置である。防振レンズ装置１０及びカメラ１２は、レンズ支持部材１６上において前後、左右、及び上下に相対的に移動されて光軸合わせされるとともに、レンズ支持部材１６を介して、図２に示す三脚１８の雲台１９に取り付けられて使用される。
【００１８】
次に、防振レンズ装置１０の防振機構を図３に基づいて説明する。防振レンズ装置１０の補正レンズ２０は、固定鏡胴２２内に配置されるとともに、レンズ保持枠２４に保持されて撮影光軸Ｐ上に取り付けられている。補正レンズ２０は、レンズ保持枠２４を図３上でＸ方向（水平方向）に移動させるＸ方向ボイスコイルモータ２６と、レンズ保持枠２４を図３上でＹ方向（鉛直方向）に移動させるＹ方向ボイスコイルモータ２８とによって撮影光軸Ｐと直交する面内でＸＹ方向に移動されることにより、防振レンズ装置１０やカメラ１２に加わった振動によって生じる像ぶれを補正する。
【００１９】
Ｘ方向ボイスコイルモータ２６は、固定子２６Ｂが固定鏡胴２２の内側面に固定され、可動子２６Ａがプッシャー３０に支持されてＸ方向に移動するようになっている。プッシャー３０の両端部にはガイド孔３０Ａ、３０Ａが形成され、このガイド孔３０Ａ、３０Ａに、固定鏡胴２２にＸ方向に固定されたガイドバー３２、３２が挿入されることによって、プッシャー３０がＸ方向に移動可能に支持される。また、プッシャー３０には、ガイドバー３４がＹ方向に沿って取り付けられ、このガイドバー３４に、レンズ保持枠２４の側縁に設けられた軸受部３６が摺動自在に嵌合されている。
【００２０】
一方、Ｙ方向ボイスコイルモータ２８は、固定子２８Ｂが固定鏡胴２２の内側面に固定され、可動子２８Ａがプッシャー３８に支持されてＹ方向に移動するようになっている。プッシャー３８の両端部にはガイド孔３８Ａ、３８Ａが形成され、このガイド孔３８Ａ、３８Ａに、固定鏡胴２２にＹ方向に固定されたガイドバー４０、４０が挿入されることによって、プッシャー３８がＹ方向に移動可能に支持される。また、プッシャー３８には、ガイドバー４２がＸ方向に沿って取り付けられ、このガイドバー４２に、レンズ保持枠２４の側縁に設けられた軸受部４４が摺動自在に嵌合されている。
【００２１】
したがって、Ｘ方向ボイスコイルモータ２６の可動子２６ＡがＸ方向に移動すると、レンズ保持枠２４はプッシャー３０に押し引きされるとともに、プッシャー３８のガイドバー４２にＸ方向にガイドされながらＸ方向に移動する。また、Ｙ方向ボイスコイルモータ２８の可動子２８ＡがＹ方向に伸縮動作すると、レンズ保持枠２４はプッシャー３８に押し引きされるとともに、プッシャー３０のガイドバー３４にＹ方向にガイドされながらＹ方向に移動する。これにより、補正レンズ２０が撮影光軸Ｐと直交する面内でＸＹ方向に移動する。
【００２２】
補正レンズ２０の防振機構には、レンズ保持枠２４のＸ方向位置を検出する位置センサ４８が設けられるとともに、レンズ保持枠２４のＹ方向位置を検出する位置センサ４６が設けられている。
【００２３】
位置センサ４６は、図４に示すＬＥＤ５０及びＰＳＤ（Position Sensor Device）５２から構成される。ＬＥＤ５０は、フレキシブルケーブル５４の端部５４Ａに取り付けられた状態で、レンズ保持枠２４の取付溝２４Ａに嵌め込まれて固定される。レンズ保持枠２４の取付溝２４Ａにはスリット２４Ｃが形成され、このスリット２４Ｃに対向してＰＳＤ５２が配置される。ＰＳＤ５２は、基板５６に取り付けられ、この基板５６を介して固定鏡胴２２（図３参照）に固定される。ＰＳＤ５２は、ＬＥＤ５０からスリット２４Ｃを介して照射された光のスポット位置をアナログ的に検出し、この位置情報が防振レンズ装置１０のＣＰＵに出力される。
【００２４】
このＣＰＵは、図５に示すドライブユニット８０に内蔵され、ドライブユニット８０に設けられた防振機能のＯＮ／ＯＦＦスイッチ８２、又はドライブユニット８０の下部コネクタ８３（図６参照）にケーブル８４を介して設けられた防振用コントローラ（遠隔操作装置）８６のＯＮ／ＯＦＦスイッチ８８をＯＮすることによりカメラ１２から電源が供給されて駆動される。
【００２５】
一方、図３に示した位置センサ４８は、図４に示すＬＥＤ５８及びＰＳＤ６０から構成される。ＬＥＤ５８は、フレキシブルケーブル５４の端部５４Ｂに取り付けられた状態で、レンズ保持枠２４の取付溝２４Ｂに嵌め込まれて固定される。レンズ保持枠２４の取付溝２４Ｂにはスリット（不図示）が形成され、このスリットに対向してＰＳＤ６０が配置される。ＰＳＤ６０は、基板６２に取り付けられ、この基板６２を介して固定鏡胴２２（図３参照）に固定される。ＰＳＤ６０は、ＬＥＤ５８からスリットを介して照射された光のスポット位置をアナログ的に検出し、この位置情報が防振レンズ装置１０の前記ＣＰＵに出力される。
【００２６】
これにより、前記ＣＰＵには、レンズ保持枠２４のＸ方向位置を示す情報が位置センサ４８から、そして、レンズ保持枠２４のＹ方向位置を示す情報が位置センサ４６からそれぞれ入力される。この位置情報に基づいて、Ｘ方向ボイスコイルモータ２６及びＹ方向ボイスコイルモータ２８が駆動される。
【００２７】
なお、フレキシブルケーブル５４は、図４に示すようにＸ方向ボイスコイルモータ２６及びＹ方向ボイスコイルモータ２８に接続されるとともに、フレキシブルケーブル５４の固定部５４Ｃが固定鏡胴２２（図３参照）に固定され、端部５４Ｄが前記ＣＰＵの防振制御基板（不図示）に接続される。
【００２８】
次に、防振レンズ装置１０の光学系について説明する。防振レンズ装置１０の内部構造は図示していないが、被写体側からカメラ１２に向かってフォーカスレンズ、ズームレンズ、アイリス、補正レンズ２０、エクステンダ、及びマスターレンズ９０（図６参照）が順に配置されて構成されている。
【００２９】
フォーカスレンズは、図５の如く固定鏡胴２２に回動自在に設けられたフォーカスリング９２を回動操作することにより光軸Ｐに沿って前後移動される。これにより、被写体の焦点が調節される。
【００３０】
また、ズームレンズは、所定の位置関係をもって光軸Ｐ方向に移動する変倍系レンズと補正系レンズとからなり、固定鏡胴２２に回動自在に設けられたズームリング９４を回動操作することにより光軸Ｐに沿って前後移動される。これにより、被写体の焦点距離が調節される。
【００３１】
更に、アイリスは、アイリスリング９６を回動すると、これに連動して絞り開口を拡縮駆動する虹彩絞り機構を有している。これにより、アイリスリング９６を回動すると、開口径が変更され、絞り値が調節される。
【００３２】
エクステンダは、防振レンズ装置１０の光学系によって結像される像の倍率を例えば１倍と２倍とで切り換えるための各倍率に対応したレンズ（以下、これらのレンズを「エクステンダレンズ」と称する）を備え、ドライブユニット８０のモータによる動作又は手動操作されるレバー９８の回動操作によって、光軸Ｐ上に挿入されるエクステンダレンズが所望の倍率のエクステンダレンズに切り替えられる。マスターレンズ９０は、エクステンダレンズから出射された被写体光をカメラ１２のＣＣＤに導くレンズである。
【００３３】
フォーカスリング９２、ズームリング９４、及びアイリスリング９６は、図２の二点鎖線で示すカメラマン１００の左手によって操作される。テレビカメラを操作するカメラマン１００は、カメラ１２の側方に位置し、右手で雲台１９の操作棒１０２を把持するとともにカメラ１２の電子ビューファインダ１０４を覗きながら被写体を確認し、左手で防振レンズ装置１０を操作する。左手において、図５の二点鎖線で示すように、比較的大きなフォーカスリング９２を小指と薬指とで回動操作し、ズームリング９４を中指で回動操作し、人指し指でアイリスリング９６を回動操作する。そして、各操作リング９２、９４、９６にそれらを操作する指を当てた状態で、フリーの親指にて防振用コントローラ８６のＯＮ／ＯＦＦスイッチ８８等を操作する。
【００３４】
次に、防振用コントローラ８６について説明する。
【００３５】
図１、図５に示すように防振用コントローラ８６は、エクステンダレンズが位置する固定鏡胴２２の外周部に配置されている。防振用コントローラ８６のＯＮ／ＯＦＦスイッチ８８を図２のカメラマン１００が操作する場合、前述の如くカメラマン１００は各操作リング９２、９４、９６から指を放すことなく、フリーな状態の親指で操作することができる。カメラマン１００はビューファインダ１０４を覗いたまま撮影を行っているため、フォーカスレンズ、ズームレンズ、アイリスの位置等は、指の位置の感覚で操作している。よって、フォーカスリング９２、ズームリング９４、アイリスリング９６から手を離してしまうと、それぞれの位置が指の感覚とずれてしまうため、少なくともあるシーンの撮影が終わるまでは指を離すことができない。このような撮影状況においても、本発明においては、各操作リング９２、９４、９６を操作しつつ防振機能のＯＮ／ＯＦＦスイッチ８８の操作が可能となる。
【００３６】
また、防振用コントローラ８６には、ＯＮ／ＯＦＦスイッチ８８の他、ＯＮ／ＯＦＦ表示灯１０６（図６参照）、防振特性切替スイッチ１０８、及び補正方向切替スイッチ１１０が取り付けられ、防振機能全般を防振用コントローラ８６によって遠隔操作可能としている。例えばこの防振用コントローラ８６を、図２に示した雲台１９の操作棒１０２に取り付けることにより、操作棒１０２を操作する右手で防振機能を遠隔操作できる。
【００３７】
防振特性切替スイッチ１０８は、防振感度を通常モードと高感度モードとに切り替えるスイッチであり、補正方向切替スイッチ１１０は、図３に示した補正レンズ２０の補正方向を上下左右と上下のみとに切り替えるスイッチである。なお、ドライブユニット８０にも、ＯＮ／ＯＦＦ表示灯１１２（図５参照）、防振特性切替スイッチ１１４（図６参照）、及び補正方向切替スイッチ１１６（図５参照）が取り付けられている。また、ドライブユニット８０には前記スイッチ１１２、１１４、１１６の他、焦点距離を調節するズームシーソレバー１１８及びアイリスオート／マニュアル切替スイッチ１２０等、複数のスイッチ及びレバーが設けられている。ドライブユニット８０に設けられた各種スイッチ及びレバーは、カメラ１２をカメラマンの肩に担いで使用する場合に、カメラマンの右手によって操作される。
【００３８】
また、防振レンズ装置１０の防振用コントローラ８６は、図５の如く固定鏡胴２２の外周部に形成された平坦部１２２に取り付けられ、この平坦部１２２は図６の如く左下がりに傾斜して形成されている。この傾斜した平坦部は、エクステンダレンズにおけるレンズ枠の支持軸とレンズとの配置の関係からなっており、以前からこのような形状である（特開平６−３４７８８７号公報、特開平８−９２０７号公報、特開平９−９０４６９号公報等）。この傾斜した平坦部１２２が、図２の如くカメラマン１００の方向に向いていることに着目し、その平坦部１２２に防振用コントローラ８６を取り付けることで、カメラマン１００の左手の親指は図５の如く無理に曲げることなく自然な姿勢で防振用コントローラ８６の各スイッチ８８、１０８、１１０に触れることができる。よって、ＯＮ／ＯＦＦスイッチ８８の操作性が向上する。
【００３９】
また、防振用コントローラ８６が取り付けられる、エクステンダレンズが位置する固定鏡胴２２の外周部は、エクステンダレンズの大きさの関係により、フォーカスレンズ及びズームレンズが位置する鏡胴の他の外周部よりも小径に形成されている。この小径部（段差部）に防振用コントローラ８６を配置することで、段差部が解消された状態となるので、防振用コントローラ８６のＯＮ／ＯＦＦスイッチ８８、及び他のスイッチ１０８、１１０に親指が問題なく届くようになり、各操作リング９２、９４、９６の操作及びＯＮ／ＯＦＦスイッチ８８、及び他のスイッチ１０８、１１０の操作を何の支障もなく同時に行うことができる。
【００４０】
図１の如く、鏡胴の外径とエクステンダレンズが位置する固定鏡胴２２との段差と略同じ厚みになるように防振用コントローラ８６を構成すると、親指が届かなくなるという心配もなく、また見た目もスッキリとしたデザインとなる。なお、防振用コントローラ８６の取付位置は、エクステンダレンズが位置する固定鏡胴２２の外周部に限定されるものではなく、図６に示したマスターレンズ９０が位置する小径の固定鏡胴２２Ａの外周部でもよい。この場合、防振用コントローラ８６を、固定鏡胴２２Ａに取付可能な大きさに構成すればよい。また、固定鏡胴２２、２２Ａの外周部に、ＯＮ／ＯＦＦスイッチ８８や他のスイッチ１０８、１１０を直接取り付けてもよい。
【００４１】
また、防振レンズ装置１０によれば、雲台１９の操作棒１０２に着脱自在に取り付けられる同一のブラケット（連結部材）１２４を介して、防振用コントローラ８６が固定鏡胴２２の外周部に取り付けられている。ブラケット１２４には、位置決め用の孔１２６と固定ねじ１２８とが設けられ、位置決め用の孔１２６を固定鏡胴２２側及び操作棒１０２側のピンに嵌合し、固定ねじ１２８を固定鏡胴２２側及び操作棒１０２側のねじ孔に螺入することにより、防振用コントローラ８６がブラケット１２４を介して防振レンズ装置１０側又は操作棒１０２に取り付けられる。このように、ブラケット１２４を連結部材として共通化することにより、操作棒１０２から取り外したそのままの状態で防振用コントローラ８６を防振レンズ装置１０側に取り付けることができ、また、防振レンズ装置１０側から取り外したそのままの状態で防振用コントローラ８６を操作棒１０２に取り付けることができる。よって、防振用コントローラ８６の取付位置変更時における取付作業を簡略化することができる。
【００４２】
また、防振用コントローラ８６のＯＮ／ＯＦＦスイッチ８８は、図６の如く防振レンズ装置１０の光軸Ｐと略平行な面に上向きに取り付けられているため、親指（図５参照）によるＯＮ／ＯＦＦスイッチ８８の操作性が向上する。また、図６の如く、ＯＮ／ＯＦＦ表示灯１０６が光軸Ｐと略垂直な面にカメラ側に向けて取り付けられているため、テレビカメラを操作するカメラマン１００は、ビューファインダ１０４を見ながらＯＮ／ＯＦＦ表示灯１０６を見ることができる。よって、撮影しながら防振機能のＯＮ／ＯＦＦ状態を容易に確認することができる。
【図面の簡単な説明】
【００４３】
【図１】実施の形態の防振レンズ装置を備えたテレビカメラの側面図
【図２】図１に示したテレビカメラが三脚に取り付けられた状態を示す斜視図
【図３】図１に示した防振レンズ装置の防振機構を示した正面図
【図４】図３に示した防振機構の組立斜視図
【図５】防振レンズ装置に対するカメラマンの手の位置を示した説明図
【図６】エクステンダレンズの固定鏡胴に防振用コントローラが取り付けられる状態を示した説明図
【符号の説明】
【００４４】
１０…防振レンズ装置、１２…カメラ、１６…レンズ支持部材、２０…補正レンズ、２２…固定鏡胴、８６…防振用コントローラ、８８…ＯＮ／ＯＦＦスイッチ、９０…マスターレンズ、９２…フォーカスリング、９４…ズームリング、９６…アイリスリング、１００…カメラマン、１０２…操作棒、１０４…ビューファインダ、１０６…ＯＮ／ＯＦＦ表示灯、１０８…防振特性切替スイッチ、１１０…補正方向切替スイッチ
【図１】
2005091608.tif 000003
【図２】
2005091608.tif 000004
【図３】
2005091608.tif 000005
【図４】
2005091608.tif 000006
【図５】
2005091608.tif 000007
【図６】
2005091608.tif 000008